(57)【特許請求の範囲】
【請求項１】
筐体に収容された内部回路と、前記内部回路への直流の電気信号を受ける一対の信号ラインと、前記一対の信号ラインの一方と前記筐体のアースラインとの間に接続された第１のサージ電圧吸収素子と、前記一対の信号ラインの他方と前記筐体のアースラインとの間に接続された第２のサージ電圧吸収素子とを備えた機器に搭載され、前記内部回路に侵入するノイズを検知するノイズ検知回路であって、
前記一対の信号ラインの他方と前記筐体のアースラインとの間に接続されたコンデンサと、
前記コンデンサに流れる電流に基づいて前記内部回路へのノイズの侵入の有無を報知するノイズ報知部とを備え、
前記コンデンサは、
前記第１のサージ電圧吸収素子とほゞ同じ容量を持つ
ことを特徴とするノイズ検知回路。
【請求項２】
請求項１に記載されたノイズ検知回路において、
前記第２のサージ電圧吸収素子は、
前記第１のサージ電圧吸収素子と同一種別の素子とされ、
前記コンデンサは、
前記第１および第２のサージ電圧吸収素子とほゞ同じ容量を持つ
ことを特徴とするノイズ検知回路。
【請求項３】
請求項１又は２に記載されたノイズ検知回路において、
前記ノイズ報知部は、
前記コンデンサに直列に接続され、このコンデンサを通して流れる電流の供給を受けて、前記内部回路へ侵入しているノイズの侵入の有無を報知する報知素子である
ことを特徴とするノイズ検知回路。
【請求項４】
請求項１又は２に記載されたノイズ検知回路において、
前記ノイズ報知部は、
前記コンデンサに直列に接続された抵抗と、
前記機器に搭載されているバッテリによって駆動され、前記抵抗と前記コンデンサとの接続点に生じる電圧を安定した電圧に変換するオペアンプと、
前記オペアンプの出力によって駆動されるトランジスタと、
前記トランジスタによってオン／オフされる電流路に接続され、前記トランジスタを通して流れる前記バッテリからの電流の供給を受けて、前記内部回路へ侵入しているノイズの侵入の有無を報知する報知素子と
を備えることを特徴とするノイズ検知回路。
【請求項５】
請求項３又は４に記載されたノイズ検知回路において、
前記報知素子は、
前記内部回路へ侵入しているノイズの侵入の有無を光によって報知する
ことを特徴とするノイズ検知回路。
【請求項６】
請求項３又は４に記載されたノイズ検知回路において、
前記報知素子は、
前記内部回路へ侵入しているノイズの侵入の有無を音によって報知する
ことを特徴とするノイズ検知回路。
【発明の詳細な説明】
【技術分野】
【０００１】
この発明は、雷サージ対策が施された機器の筐体に収容された内部回路に侵入するノイズを検知するノイズ検知回路に関するものである。
【背景技術】
【０００２】
従来より、プラントなどで使用されるフィールド機器として、バルブの開度を制御するポジショナが用いられている。このポジショナは、上位側システムより一対の電線を介して直流の電気信号（４〜２０ｍＡの電流）を受け、この直流の電気信号から自己の動作電源を生成する一方、この直流の電気信号の値に応じて調節弁の開度を制御する。例えば、調節弁を比例弁とし、上位側システムより４ｍＡの電流が送られてきた場合には比例弁の開度を０％とし、２０ｍＡの電流が送られてきた場合には比例弁の開度を１００％とする。
【０００３】
このようなポジショナは、ＣＰＵ（Central Processing Unit）やＲＡＭ（Random Access Memory）、ＲＯＭ（Read Only Memory）などから構成される電子回路を備えており、この電子回路を内部回路として筐体に収容している。このため、内部回路に侵入しようとする雷サージに対する対策が求められる。
【０００４】
一般的に、雷サージ対策としては、バリスタやアレスタなどのサージ電圧吸収素子が用いられる。このサージ電圧吸収素子は、両端子間の電圧が低い場合には電気抵抗が高いが、ある程度以上に電圧が高くなると急激に電気抵抗が低くなる性質を持ち、他の電子部品を高電圧から保護するためのバイパスとして用いられる（例えば、特許文献１，２参照）。
【０００５】
図１０に雷サージ対策が施されたポジショナの要部を示す。同図において、１はポジショナの内部回路（電子回路）であり、内部回路１は筐体２に収容されている。Ｌ１，Ｌ２は内部回路１への直流の電気信号を受ける一対の信号ラインであり、＋側の信号ラインＬ１と筐体２のアースライン（筐体アース）ＦＧとの間に第１のサージ電圧吸収素子としてバリスタ３−１が接続されており、−側の信号ラインＬ２と筐体アースＦＧとの間に第２のサージ電圧吸収素子としてバリスタ３−２が接続されている。
【０００６】
この雷サージ対策が施されたポジショナ１００（１００Ｃ）では、信号ラインＬ１より内部回路１へ雷サージが侵入しようとすると、この雷サージがバリスタ３−１を通して筐体アースＦＧへ流れ込む。また、信号ラインＬ２より内部回路１へ雷サージが侵入しようとすると、この雷サージがバリスタ３−２を通して筐体アースＦＧへ流れ込む。
【先行技術文献】
【特許文献】
【０００７】
【特許文献１】特開平５−３１６６４７号公報
【特許文献２】特開２０１１−２３９２８３号公報
【発明の概要】
【発明が解決しようとする課題】
【０００８】
しかしながら、雷サージ対策として用いられるバリスタやアレスタなどのサージ電圧吸収素子は、構造上少なからず容量成分を持っているため、機器の信号ラインと筐体アース間が容量結合する形となる。このため、フィールドの環境によって、信号ラインと筐体アース間にノイズが発生し、この時のノイズの周波数が容量結合の共振周波数と重なったような場合、このノイズが内部回路に侵入してしまう。
【０００９】
すなわち、図１０に示した例で言えば、バリスタ３−１，３−２が容量成分を持っているため、信号ラインＬ１，Ｌ２と筐体アースＦＧ間が容量結合する形となる。
【００１０】
このため、例えば、図１１に示すように、信号ラインＬ２と筐体アースＦＧ間にノイズＮＺが発生し、このノイズＮＺの周波数がバリスタ３−１の容量結合の共振周波数と重なったような場合、図１１中にその侵入経路を実線および点線で示すように、ノイズＮＺがバリスタ３−１を通して内部回路１に侵入してしまう。
【００１１】
また、図１２に示すように、信号ラインＬ１と筐体アースＦＧ間にノイズＮＺが発生し、このノイズＮＺの周波数がバリスタ３−２の容量結合の共振周波数と重なったような場合、図１２中にその侵入経路を実線および点線で示すように、ノイズＮＺがバリスタ３−２を通して内部回路１に侵入してしまう。
【００１２】
このように、雷サージ対策として用いられるバリスタやアレスタなどのサージ電圧吸収素子は容量成分を持っているため、信号ラインと筐体アース間に発生したノイズが内部回路に侵入してしまうことがあり、内部回路にノイズが侵入すると、異常な電流が内部回路内に流れ、誤動作の原因となる。
【００１３】
このため、内部回路へのノイズの侵入を防ぐことが望まれる。しかしながら、侵入するノイズの周波数（共振周波数）は配線されるケーブル長によって異なる。すなわち、機器の設置環境により個々に影響を受ける周波数が変わるため、特定の周波数に対する対策は効果がない。
【００１４】
また、現場で発生しているノイズが常に存在するとは限らない。すなわち、誤動作が発生したものを現地調査するとき、同様のノイズが発生しているとは限らない。また、複数の周波数のノイズが乗っている場合、影響を与えたノイズかどうか現場で判断することは難しい。また、原因の特定に時間がかかると調査の工数などのコストがかかる。
【００１５】
また、電源や信号ラインへ通るノイズを直接検知すると影響が大きい。すなわち、電源や信号ラインへノイズを検知する回路を設けると、このノイズを検知する回路によって電源や信号に影響を与えてしまう。
【００１６】
本発明は、このような課題を解決するためになされたもので、その目的とするところは、電源や信号に影響を与えず、内部回路へのノイズの侵入をリアルタイムで知らせることが可能なノイズ検知回路を提供することにある。
【課題を解決するための手段】
【００１７】
このような目的を達成するために本発明は、筐体に収容された内部回路と、内部回路への直流の電気信号を受ける一対の信号ラインと、一対の信号ラインの一方と筐体のアースラインとの間に接続された第１のサージ電圧吸収素子と、一対の信号ラインの他方と筐体のアースラインとの間に接続された第２のサージ電圧吸収素子とを備えた機器に搭載され、内部回路に侵入するノイズを検知するノイズ検知回路であって、一対の信号ラインの他方と筐体のアースラインとの間に接続されたコンデンサと、コンデンサに流れる電流に基づいて内部回路へのノイズの侵入の有無を報知するノイズ報知部とを備え、コンデンサは、第１のサージ電圧吸収素子とほゞ同じ容量を持つことを特徴とする。
【００１８】
本発明において、第１のサージ電圧吸収素子を介して内部回路に侵入するノイズが発生した場合、第１のサージ電圧吸収素子とほゞ同じ容量を持つコンデンサにもそのノイズが侵入し、このコンデンサを通して電流（ノイズ電流）が流れる。本発明では、このコンデンサに流れる電流（ノイズ電流）に基づいて、内部回路へのノイズの侵入の有無を報知する。
【００１９】
本発明において、第２のサージ電圧吸収素子を第１のサージ電圧吸収素子と同一種別の素子とし、コンデンサを第１および第２のサージ電圧吸収素子とほゞ同じ容量を持つものとすると、第２のサージ電圧吸収素子を介して内部回路に侵入するノイズが発生した場合、第２のサージ電圧吸収素子とほゞ同じ容量を持つコンデンサにもそのノイズが侵入する。これにより、第１のサージ電圧吸収素子を介して内部回路に侵入するノイズが発生した場合と同様にして、第２のサージ電圧吸収素子を介して内部回路に侵入するノイズが発生した場合にも、内部回路へのノイズの侵入が報知される。
【００２０】
本発明において、ノイズ報知部の一例として、コンデンサに直列に接続され、このコンデンサを通して流れる電流の供給を受けて、内部回路へ侵入しているノイズの侵入の有無を報知する報知素子とすることが考えられる。この報知素子を例えばランプとした場合、報知素子は、内部回路へ侵入しているノイズの侵入の有無を光によって報知する。この報知素子を例えばブザーとした場合、報知素子は、内部回路へ侵入しているノイズの侵入の有無を音によって報知する。
【００２１】
本発明において、ノイズ報知部の別の例として、コンデンサに直列に接続された抵抗と、機器に搭載されているバッテリによって駆動され、抵抗とコンデンサとの接続点に生じる電圧を安定した電圧に変換するオペアンプと、オペアンプの出力によって駆動されるトランジスタと、トランジスタによってオン／オフされる電流路に接続され、トランジスタを通して流れるバッテリからの電流の供給を受けて、内部回路へ侵入しているノイズの侵入の有無を報知する報知素子とを備えた構成とすることが考えられる。このような構成とすると、バッテリを搭載することで、ノイズ検知回路を確実に動作させることが可能となる。
【００２２】
なお、本発明において、内部回路への直流の電気信号を受ける一対の信号ラインの一方は、＋側ラインであってもよく、−側ラインであってもよい。すなわち、一対の信号ラインの一方を＋側ラインとすれば、他方が−側ラインとなり、一対の信号ラインの一方を−側ラインとすれば、他方が＋側ラインとなる。このように、本発明において、一対の信号ラインは、＋側ラインと−側ラインとを入れ替えても構わない。また、本発明において、サージ電圧吸収素子としては、バリスタやアレスタを用いることが考えられるが、他の素子を用いても構わない。
【発明の効果】
【００２３】
本発明によれば、一対の信号ラインの他方と筐体のアースラインとの間に第１のサージ電圧吸収素子とほゞ同じ容量を持つコンデンサを接続し、このコンデンサに流れる電流に基づいて内部回路へのノイズの侵入の有無を報知するようにしたので、電源や信号に影響を与えず、内部回路へのノイズの侵入をリアルタイムで知らせることが可能となる。
【図面の簡単な説明】
【００２４】
【図１】本発明に係るノイズ検知回路の一実施の形態（実施の形態１）を搭載したポジショナの要部を示す図である。
【図２】このポジショナにおいて−側の信号ラインと筐体アース間にノイズが発生した場合のノイズの侵入経路を示す図である。
【図３】このポジショナにおいて＋側の信号ラインと筐体アース間にノイズが発生した場合のノイズの侵入経路を示す図である。
【図４】このポジショナにおいてコンデンサにＬＥＤを直列に接続してノイズ検知回路とした例を示す図である。
【図５】コンデンサにＬＥＤを直列に接続してノイズ検知回路とした場合の図２に対応する図である。
【図６】コンデンサにＬＥＤを直列に接続してノイズ検知回路とした場合の図３に対応する図である。
【図７】本発明に係るノイズ検知回路の他の実施の形態（実施の形態２）を搭載したポジショナの要部を示す図である。
【図８】このポジショナにおいて−側の信号ラインと筐体アース間にノイズが発生した場合のノイズの侵入経路を示す図である。
【図９】このポジショナにおいて＋側の信号ラインと筐体アース間にノイズが発生した場合のノイズの侵入経路を示す図である。
【図１０】雷サージ対策が施されたポジショナの要部を示す図である。
【図１１】このポジショナにおいて−側の信号ラインと筐体アース間にノイズが発生した場合のノイズの侵入経路を示す図である。
【図１２】このポジショナにおいて＋側の信号ラインと筐体アース間にノイズが発生した場合のノイズの侵入経路を示す図である。
【発明を実施するための形態】
【００２５】
以下、本発明の実施の形態を図面に基づいて詳細に説明する。
【００２６】
〔実施の形態１〕
図１は本発明に係るノイズ検知回路の一実施の形態（実施の形態１）を搭載したポジショナの要部を示す図である。同図において、図１０と同一符号は図１０を参照して説明した構成要素と同一或いは同等の構成要素を示し、その説明は省略する。
【００２７】
このポジショナ１００（１００Ａ）においても、図１０に示したポジショナ１００（１００Ｃ）と同様、＋側の信号ラインＬ１と筐体アースＦＧとの間に第１のサージ電圧吸収素子としてバリスタ３−１が接続され、−側の信号ラインＬ２と筐体アースＦＧとの間に第２のサージ電圧吸収素子としてバリスタ３−２が接続されている。すなわち、このポジショナ１００Ａにおいても、図１０に示したポジショナ１００Ｃと同様、サージ電圧吸収素子としてバリスタ３（３−１，３−２）を用いた雷サージ対策が施されている。
【００２８】
本実施の形態では、この雷サージ対策が施されたポジショナ１００Ａにおいて、信号ラインＬ２と筐体アースＦＧとの間に、コンデンサＣ１とランプ４との直列接続回路をノイズ検知回路５として接続している。このノイズ検知回路５は、コンデンサＣ１を筐体アースＦＧ側として信号ラインＬ２と筐体アースＦＧとの間に接続されており、コンデンサＣ１はバリスタ３（３−１，３−２）と同じ容量とされている。このノイズ検知回路５において、コンデンサＣ１の容量はバリスタ３（３−１，３−２）と同じとされているので、共振周波数もバリスタ３（３−１，３−２）と同じになる。
【００２９】
このポジショナ１００Ａにおいて、図２に示すように、信号ラインＬ２と筐体アースＦＧ間にノイズＮＺが発生し、このノイズＮＺの周波数がバリスタ３−１の容量結合の共振周波数と重なったような場合、図２中にその侵入経路を実線および点線で示すように、ノイズＮＺがバリスタ３−１を通して内部回路１に侵入する。
【００３０】
この際、信号ラインＬ２と筐体アースＦＧとの間にはバリスタ３−１と同じ容量を持つコンデンサＣ１が接続されているため、このバリスタ３−１と同じ容量を持つコンデンサＣ１にもノイズＮＺが侵入し、このコンデンサＣ１を通してランプ４に電流（ノイズ電流）が流れる。これにより、ランプ４が点灯し、内部回路１へのノイズＮＺの侵入を知らせる。
【００３１】
また、このポジショナ１００Ａにおいて、図３に示すように、信号ラインＬ１と筐体アースＦＧ間にノイズＮＺが発生し、このノイズＮＺの周波数がバリスタ３−２の容量結合の共振周波数と重なったような場合、図３中にその侵入経路を実線および点線で示すように、ノイズＮＺがバリスタ３−２を通して内部回路１に侵入する。
【００３２】
この際、信号ラインＬ２と筐体アースＦＧとの間にはバリスタ３−２と同じ容量を持つコンデンサＣ１が接続されているため、このバリスタ３−２と同じ容量を持つコンデンサＣ１にもノイズＮＺが侵入し、このコンデンサＣ１を通してランプ４に電流（ノイズ電流）が流れる。これにより、ランプ４が点灯し、内部回路１へのノイズＮＺの侵入を知らせる。
【００３３】
このように、本実施の形態では、ランプ４の点灯の有無で内部回路１へのノイズの侵入の有無をリアルタイムで知ることができ、内部回路１へのノイズの侵入の有無を明確に判断することができるようになる。また、現場の誤動作の原因が筐体アースＦＧを介してのノイズか否かをすぐに判断することができるようになる。また、ノイズ検知回路５は容量として結合しているのみであるので、ポジショナ１００Ａの動作電源や信号ラインに影響を与えることもない。また、ランプ４は流れる電流の大きさによって明るさが変わるので、この明るさの変化から内部回路１に侵入しているノイズの大きさを知ることも可能である。
【００３４】
なお、この実施の形態１では、コンデンサＣ１にランプ４を直列に接続してノイズ検知回路５としたが、図４に示すようにコンデンサＣ１にＬＥＤ６を直列に接続してノイズ検知回路５’としてもよい。この場合の図２，図３に対応する図を図５，図６に示す。このノイズ検知回路５’では、ＬＥＤ６が点滅することによって、内部回路１へのノイズの侵入を知らせる。また、ＬＥＤ６の明るさの変化から、そのノイズの大きさを知ることもできる。
【００３５】
〔実施の形態２〕
図７に本発明に係るノイズ検知回路の他の実施の形態（実施の形態２）を搭載したポジショナの要部を示す。このポジショナ１００（１００Ｂ）は、バッテリ（電池）７を搭載しており、このバッテリ７から供給される電圧ＶＴをノイズ検知回路８の動作電源として使用するようにしている。
【００３６】
ノイズ検知回路８は、信号ラインＬ２と筐体アースＦＧとの間に接続されたコンデンサＣ１と抵抗Ｒ１との直接接続回路と、コンデンサＣ１と抵抗Ｒ１との接続点Ｐ１に生じる電圧Ｖａをその非反転入力端（＋側入力端）への入力電圧とするオペアンプＯＰ１と、オペアンプＯＰ１の出力をそのベース入力とするＮＰＮトランジスタＴｒ１と、トランジスタＴｒ１によってオン／オフされる電流路Ｌ３に接続されたＬＥＤ９とから構成されている。
【００３７】
ノイズ検知回路８において、コンデンサＣ１と抵抗Ｒ１との直接接続回路は、コンデンサＣ１を筐体アースＦＧ側として信号ラインＬ２と筐体アースＦＧとの間に接続されており、コンデンサＣ１はバリスタ３（３−１，３−２）と同じ容量とされている。
【００３８】
また、オペアンプＯＰ１は、その反転入力端（−側入力端）が出力端に接続されており、バッテリ７からの電圧ＶＴを電源として駆動される。トランジスタＴｒ１は、そのエミッタが信号ラインＬ２に接続され、そのコレクタがＬＥＤ９のカソードに接続されている。ＬＥＤ９のアノードはバッテリ７からの電圧ＶＴの供給ラインに接続されている。
【００３９】
このポジショナ１００Ｂにおいて、図８に示すように、信号ラインＬ２と筐体アースＦＧ間にノイズＮＺが発生し、このノイズＮＺの周波数がバリスタ３−１の容量結合の共振周波数と重なったような場合、図８中にその侵入経路を実線および点線で示すように、ノイズＮＺがバリスタ３−１を通して内部回路１に侵入する。
【００４０】
この際、信号ラインＬ２と筐体アースＦＧとの間にはバリスタ３−１と同じ容量を持つコンデンサＣ１が接続されているため、このバリスタ３−１と同じ容量を持つコンデンサＣ１にもノイズＮＺが侵入し、このコンデンサＣ１を通して抵抗Ｒ１に電流（ノイズ電流）が流れる。これにより、コンデンサＣ１と抵抗Ｒ１との接続点Ｐ１に電圧Ｖａが生じ、この接続点Ｐ１に生じる電圧ＶａがオペアンプＯＰ１の非反転入力端へ与えられる。
【００４１】
オペアンプＯＰ１は、バッテリ７から供給される電圧ＶＴを電源として駆動され、非反転入力端に入力された電圧Ｖａを安定した電圧Ｖｂに変換する。このオペアンプＯＰ１によって変換された電圧ＶｂはトランジスタＴｒ１のベースへ与えられる。これにより、トランジスタＴｒ１のコレクタ−エミッタ間がオン（電流路Ｌ３がオン）とされ、ＬＥＤ９にバッテリ７からの電流が流れる。この電流の供給を受けて、ＬＥＤ９が点灯し、内部回路１へのノイズＮＺの侵入を知らせる。
【００４２】
また、このポジショナ１００Ｂにおいて、図９に示すように、信号ラインＬ１と筐体アースＦＧ間にノイズＮＺが発生し、このノイズＮＺの周波数がバリスタ３−２の容量結合の共振周波数と重なったような場合、図９中にその侵入経路を実線および点線で示すように、ノイズＮＺがバリスタ３−２を通して内部回路１に侵入する。
【００４３】
この際、信号ラインＬ２と筐体アースＦＧとの間にはバリスタ３−２と同じ容量を持つコンデンサＣ１が接続されているため、このバリスタ３−２と同じ容量を持つコンデンサＣ１にもノイズＮＺが侵入し、このコンデンサＣ１を通して抵抗Ｒ１に電流（ノイズ電流）が流れる。これにより、コンデンサＣ１と抵抗Ｒ１との接続点Ｐ１に電圧Ｖａが生じ、この接続点Ｐ１に生じる電圧ＶａがオペアンプＯＰ１の非反転入力端へ与えられる。
【００４４】
オペアンプＯＰ１は、バッテリ７から供給される電圧ＶＴを駆動電源として動作し、非反転入力端に入力された電圧Ｖａを安定した電圧Ｖｂに変換する。このオペアンプＯＰ１によって変換された電圧ＶｂはトランジスタＴｒ１のベースへ与えられる。これにより、トランジスタＴｒ１のコレクタ−エミッタ間がオン（電流路Ｌ３がオン）とされ、ＬＥＤ９にバッテリ７からの電流が流れる。この電流の供給を受けて、ＬＥＤ９が点灯し、内部回路１へのノイズＮＺの侵入を知らせる。
【００４５】
このように、本実施の形態では、ＬＥＤ９の点灯の有無で内部回路１へのノイズの侵入の有無をリアルタイムで知ることができ、内部回路１へのノイズの侵入の有無を明確に判断することができるようになる。また、現場の誤動作の原因が筐体アースＦＧを介してのノイズか否かをすぐに判断することができるようになる。また、ノイズ検知回路８は、ポジショナ１００Ｂの動作電源や信号ラインとは独立しているので、ポジショナ１００Ｂの動作に影響を与えることはない。
【００４６】
また、この実施の形態２では、ポジショナ１００Ｂにバッテリ７を搭載し、このバッテリ７をノイズ検知回路８の動作電源として使用することにより、コンデンサＣ１と抵抗Ｒ１との接続点Ｐ１に生じる電圧Ｖａを安定した電圧Ｖｂに変換し、またＬＥＤＥ９をバッテリ７から供給される電流によって点灯させるようにして、ノイズ検知回路８を確実に動作させることができる。
【００４７】
なお、この実施の形態２において、オペアンプＯＰ１を増幅器とし、このオペアンプＯＰ１において増幅された電圧ＶｂをトランジスタＴｒ１に与え、トランジスタＴｒ１を流れる電流の大きさを電圧Ｖｂの値に応じて変化させるようにしてもよい。このようにすると、内部回路１へのノイズの侵入の有無だけではなく、ＬＥＤ９の明るさの変化から、内部回路１に侵入しているノイズの大きさを知ることも可能となる。
【００４８】
また、上述した実施の形態１，２では、報知素子としてランプやＬＥＤを用い、内部回路１へのノイズの侵入の有無を光によって知らせるようにしたが、ブザーなどを用いることによって音で知らせるようにしてもよい。
【００４９】
また、上述した実施の形態１，２では、サージ電圧吸収素子としてバリスタを用いるようにしたが、アレスタなど他の素子を用いるようにしてもよい。
【００５０】
また、上述した実施の形態１，２では、信号ラインＬ１を＋側の信号ラインとし、信号ラインＬ２を−側の信号ラインとしたが、信号ラインＬ１を−側の信号ラインとし、信号ラインＬ２を＋側の信号ラインとしてもよい。
【００５１】
また、上述した実施の形態１，２では、筐体に内部回路が収容された機器としてポジショナを例にとって説明したが、ポジショナに限られるものでないことは言うまでもない。また、サージ電圧吸収素子もバリスタに限られるものではなく、アレスタなど他の素子を用いてもよい。
【００５２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５３】
１…内部回路、２…筐体、３（３−１，３−２）…バリスタ、４…ランプ、５，５’…ノイズ検知回路、６…ＬＥＤ、７…バッテリ（電池）、８…ノイズ検知回路、９…ＬＥＤ、Ｌ１，Ｌ２…信号ライン、ＦＧ…筐体アース、Ｃ１…コンデンサ、ＮＺ…ノイズ、１００（１００Ａ，１００Ｂ）…ポジショナ。
【図１】
0006322124.tif 000002
【図２】
0006322124.tif 000003
【図３】
0006322124.tif 000004
【図４】
0006322124.tif 000005
【図５】
0006322124.tif 000006
【図６】
0006322124.tif 000007
【図７】
0006322124.tif 000008
【図８】
0006322124.tif 000009
【図９】
0006322124.tif 000010
【図１０】
0006322124.tif 000011
【図１１】
0006322124.tif 000012
【図１２】
0006322124.tif 000013